(57)【特許請求の範囲】
【請求項１】
第１電極および第２電極を有する放電灯に駆動電流を供給する放電灯駆動部と、
前記放電灯駆動部を制御する制御部と、
を備え、
前記駆動電流は、前記放電灯に交流電流が供給される第１波形期間および第２波形期間を有し、
前記第１波形期間および前記第２波形期間は、
前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、
前記第１極性期間と前記第２極性期間とからなり前記第２極性期間の長さが前記第１極性期間の長さよりも大きい第２単位駆動期間が複数連続して構成される第２交流期間と、
を含み、
前記第２波形期間の前記第１交流期間における前記第１極性期間の長さの合計は、前記第１波形期間の前記第１交流期間における前記第１極性期間の長さの合計よりも大きく、
前記第２波形期間の前記第２交流期間における前記第２極性期間の長さの合計は、前記第１波形期間の前記第２交流期間における前記第２極性期間の長さの合計よりも大きく、
前記第２波形期間は、前記第１交流期間の前記第１単位駆動期間における前記第２極性期間の長さに対する前記第１極性期間の長さの比の最大値、および前記第２交流期間の前記第２単位駆動期間における前記第１極性期間の長さに対する前記第２極性期間の長さの比の最大値が、前記第１波形期間よりも大きいことを特徴とする放電灯駆動装置。
【請求項２】
第１電極および第２電極を有する放電灯に駆動電流を供給する放電灯駆動部と、
前記放電灯駆動部を制御する制御部と、
を備え、
前記駆動電流は、前記放電灯に交流電流が供給される第１波形期間および第２波形期間を有し、
前記第１波形期間および前記第２波形期間は、
前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、
前記第１極性期間と前記第２極性期間とからなり前記第２極性期間の長さが前記第１極性期間の長さよりも大きい第２単位駆動期間が複数連続して構成される第２交流期間と、
を含み、
前記第２波形期間の前記第１交流期間における前記第１極性期間の長さの合計は、前記第１波形期間の前記第１交流期間における前記第１極性期間の長さの合計よりも大きく、
前記第２波形期間の前記第２交流期間における前記第２極性期間の長さの合計は、前記第１波形期間の前記第２交流期間における前記第２極性期間の長さの合計よりも大きく、
前記第２波形期間は、前記第１交流期間の前記第１単位駆動期間における前記第２極性期間の長さに対する前記第１極性期間の長さの比の最小値、および前記第２交流期間の前記第２単位駆動期間における前記第１極性期間の長さに対する前記第２極性期間の長さの比の最小値が、前記第１波形期間よりも大きいことを特徴とする放電灯駆動装置。
【請求項３】
第１電極および第２電極を有する放電灯に駆動電流を供給する放電灯駆動部と、
前記放電灯駆動部を制御する制御部と、
を備え、
前記駆動電流は、前記放電灯に交流電流が供給される第１波形期間および第２波形期間を有し、
前記第１波形期間および前記第２波形期間は、
前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、
前記第１極性期間と前記第２極性期間とからなり前記第２極性期間の長さが前記第１極性期間の長さよりも大きい第２単位駆動期間が複数連続して構成される第２交流期間と、
を含み、
前記第２波形期間の前記第１交流期間における前記第１極性期間の長さの合計は、前記第１波形期間の前記第１交流期間における前記第１極性期間の長さの合計よりも大きく、
前記第２波形期間の前記第２交流期間における前記第２極性期間の長さの合計は、前記第１波形期間の前記第２交流期間における前記第２極性期間の長さの合計よりも大きく、
前記第１交流期間における前記第１単位駆動期間の前記第１極性期間の合計、および前記第２交流期間における前記第２単位駆動期間の前記第２極性期間の合計は、前記放電灯に供給される駆動電力が小さいほど、大きく設定され、
前記第１交流期間の長さ、および前記第２交流期間の長さは、前記駆動電力が小さいほど、大きく設定されることを特徴とする放電灯駆動装置。
【請求項４】
前記第１単位駆動期間の前記第２極性期間の長さに対する前記第１極性期間の長さの比、および前記第２単位駆動期間の前記第１極性期間の長さに対する前記第２極性期間の長さの比は、前記駆動電力が小さいほど、大きく設定される、請求項３に記載の放電灯駆動装置。
【請求項５】
第１電極および第２電極を有する放電灯に駆動電流を供給する放電灯駆動部と、
前記放電灯駆動部を制御する制御部と、
を備え、
前記駆動電流は、前記放電灯に交流電流が供給される第１波形期間および第２波形期間を有し、
前記第１波形期間および前記第２波形期間は、
前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、
前記第１極性期間と前記第２極性期間とからなり前記第２極性期間の長さが前記第１極性期間の長さよりも大きい第２単位駆動期間が複数連続して構成される第２交流期間と、
を含み、
前記第２波形期間の前記第１交流期間における前記第１極性期間の長さの合計は、前記第１波形期間の前記第１交流期間における前記第１極性期間の長さの合計よりも大きく、
前記第２波形期間の前記第２交流期間における前記第２極性期間の長さの合計は、前記第１波形期間の前記第２交流期間における前記第２極性期間の長さの合計よりも大きく、
前記駆動電流において、前記第１波形期間の長さの合計に対する前記第２波形期間の長さの合計の割合は、前記放電灯に供給される駆動電力が小さいほど、大きく設定されることを特徴とする放電灯駆動装置。
【請求項６】
前記第１電極と前記第２電極との間の電極間電圧を検出する電圧検出部をさらに備え、
前記第１交流期間における前記第１単位駆動期間の前記第１極性期間の合計、および前記第２交流期間における前記第２単位駆動期間の前記第２極性期間の合計は、前記電極間電圧が大きいほど、大きく設定される、請求項１から５のいずれか一項に記載の放電灯駆動装置。
【請求項７】
前記第１交流期間の長さ、および前記第２交流期間の長さは、前記電極間電圧が大きいほど、大きく設定される、請求項６に記載の放電灯駆動装置。
【請求項８】
前記第１単位駆動期間の前記第２極性期間の長さに対する前記第１極性期間の長さの比、および前記第２単位駆動期間の前記第１極性期間の長さに対する前記第２極性期間の長さの比は、前記電極間電圧が大きいほど、大きく設定される、請求項６または７に記載の放電灯駆動装置。
【請求項９】
第１電極および第２電極を有する放電灯に駆動電流を供給する放電灯駆動部と、
前記放電灯駆動部を制御する制御部と、
前記第１電極と前記第２電極との間の電極間電圧を検出する電圧検出部と、
を備え、
前記駆動電流は、前記放電灯に交流電流が供給される第１波形期間および第２波形期間を有し、
前記第１波形期間および前記第２波形期間は、
前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、
前記第１極性期間と前記第２極性期間とからなり前記第２極性期間の長さが前記第１極性期間の長さよりも大きい第２単位駆動期間が複数連続して構成される第２交流期間と、
を含み、
前記第２波形期間の前記第１交流期間における前記第１極性期間の長さの合計は、前記第１波形期間の前記第１交流期間における前記第１極性期間の長さの合計よりも大きく、
前記第２波形期間の前記第２交流期間における前記第２極性期間の長さの合計は、前記第１波形期間の前記第２交流期間における前記第２極性期間の長さの合計よりも大きく、
前記駆動電流において、前記第１波形期間の長さの合計に対する前記第２波形期間の長さの合計の割合は、前記電極間電圧が大きいほど、大きく設定されることを特徴とする放電灯駆動装置。
【請求項１０】
前記第２波形期間は、前記第１交流期間のみからなる第１交流波形期間と、前記第２交流期間のみからなる第２交流波形期間と、を有し、
前記第１交流波形期間と前記第２交流波形期間との間には、前記第１波形期間が設けられる、請求項１から９のいずれか一項に記載の放電灯駆動装置。
【請求項１１】
前記第１交流期間の前記第１単位駆動期間における、前記第２極性期間の長さに対する前記第１極性期間の長さの比は、３．０以上であり、
前記第２交流期間の前記第２単位駆動期間における、前記第１極性期間の長さに対する前記第２極性期間の長さの比は、３．０以上である、請求項１から１０のいずれか一項に記載の放電灯駆動装置。
【請求項１２】
前記第２波形期間において、
前記第１交流期間の前記第１単位駆動期間における、前記第２極性期間の長さに対する前記第１極性期間の長さの比は、６．０以上であり、
前記第２交流期間の前記第２単位駆動期間における、前記第１極性期間の長さに対する前記第２極性期間の長さの比は、６．０以上である、請求項１１に記載の放電灯駆動装置。
【請求項１３】
前記第２波形期間において、前記第１交流期間の長さおよび前記第２交流期間の長さは、２０ｍｓ以上である、請求項１から１２のいずれか一項に記載の放電灯駆動装置。
【請求項１４】
前記第２波形期間において、前記第１交流期間の長さおよび前記第２交流期間の長さは、２００ｍｓ以上である、請求項１３に記載の放電灯駆動装置。
【請求項１５】
前記第２波形期間の前記第１交流期間の長さ、および前記第２波形期間の前記第２交流期間の長さは、それぞれ前記第１波形期間の前記第１交流期間および前記第２交流期間の長さよりも大きい、請求項１から１４のいずれか一項に記載の放電灯駆動装置。
【請求項１６】
前記第１単位駆動期間における前記第２極性期間の長さ、および前記第２単位駆動期間における前記第１極性期間の長さは、０．１６ｍｓ以上であり、１．０ｍｓより小さい、請求項１から１５のいずれか一項に記載の放電灯駆動装置。
【請求項１７】
前記第１単位駆動期間における前記第１極性期間の長さ、および前記第２単位駆動期間における前記第２極性期間の長さは、１．０ｍｓ以上である、請求項１から１６のいずれか一項に記載の放電灯駆動装置。
【請求項１８】
前記第２波形期間において、前記第１単位駆動期間における前記第１極性期間の長さ、および前記第２単位駆動期間における前記第２極性期間の長さは、２．５ｍｓ以上である、請求項１７に記載の放電灯駆動装置。
【請求項１９】
光を射出する前記放電灯と、
請求項１から１８のいずれか一項に記載の放電灯駆動装置と、
を備えることを特徴とする光源装置。
【請求項２０】
請求項１９に記載の光源装置と、
前記光源装置から射出される光を映像信号に応じて変調する光変調素子と、
前記光変調素子により変調された光を投射する投射光学系と、
を備えることを特徴とするプロジェクター。
【請求項２１】
第１電極および第２電極を有する放電灯に駆動電流を供給して、前記放電灯を駆動させる放電灯駆動方法であって、
前記放電灯に交流電流が供給される第１波形期間および第２波形期間を有する駆動電流を前記放電灯に供給するステップを備え、
前記第１波形期間および前記第２波形期間は、
前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、
前記第１極性期間と前記第２極性期間とからなり前記第２極性期間の長さが前記第１極性期間の長さよりも大きい第２単位駆動期間が複数連続して構成される第２交流期間と、
を含み、
前記第２波形期間の前記第１交流期間における前記第１極性期間の長さの合計は、前記第１波形期間の前記第１交流期間における前記第１極性期間の長さの合計よりも大きく、
前記第２波形期間の前記第２交流期間における前記第２極性期間の長さの合計は、前記第１波形期間の前記第２交流期間における前記第２極性期間の長さの合計よりも大きく、
前記第２波形期間は、前記第１交流期間の前記第１単位駆動期間における前記第２極性期間の長さに対する前記第１極性期間の長さの比の最大値、および前記第２交流期間の前記第２単位駆動期間における前記第１極性期間の長さに対する前記第２極性期間の長さの比の最大値が、前記第１波形期間よりも大きいことを特徴とする放電灯駆動方法。
【請求項２２】
第１電極および第２電極を有する放電灯に駆動電流を供給して、前記放電灯を駆動させる放電灯駆動方法であって、
前記放電灯に交流電流が供給される第１波形期間および第２波形期間を有する駆動電流を前記放電灯に供給するステップを備え、
前記第１波形期間および前記第２波形期間は、
前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、
前記第１極性期間と前記第２極性期間とからなり前記第２極性期間の長さが前記第１極性期間の長さよりも大きい第２単位駆動期間が複数連続して構成される第２交流期間と、
を含み、
前記第２波形期間の前記第１交流期間における前記第１極性期間の長さの合計は、前記第１波形期間の前記第１交流期間における前記第１極性期間の長さの合計よりも大きく、
前記第２波形期間の前記第２交流期間における前記第２極性期間の長さの合計は、前記第１波形期間の前記第２交流期間における前記第２極性期間の長さの合計よりも大きく、
前記第２波形期間は、前記第１交流期間の前記第１単位駆動期間における前記第２極性期間の長さに対する前記第１極性期間の長さの比の最小値、および前記第２交流期間の前記第２単位駆動期間における前記第１極性期間の長さに対する前記第２極性期間の長さの比の最小値が、前記第１波形期間よりも大きいことを特徴とする放電灯駆動方法。
【請求項２３】
第１電極および第２電極を有する放電灯に駆動電流を供給して、前記放電灯を駆動させる放電灯駆動方法であって、
前記放電灯に交流電流が供給される第１波形期間および第２波形期間を有する駆動電流を前記放電灯に供給するステップを備え、
前記第１波形期間および前記第２波形期間は、
前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、
前記第１極性期間と前記第２極性期間とからなり前記第２極性期間の長さが前記第１極性期間の長さよりも大きい第２単位駆動期間が複数連続して構成される第２交流期間と、
を含み、
前記第２波形期間の前記第１交流期間における前記第１極性期間の長さの合計は、前記第１波形期間の前記第１交流期間における前記第１極性期間の長さの合計よりも大きく、
前記第２波形期間の前記第２交流期間における前記第２極性期間の長さの合計は、前記第１波形期間の前記第２交流期間における前記第２極性期間の長さの合計よりも大きく、
前記第１交流期間における前記第１単位駆動期間の前記第１極性期間の合計、および前記第２交流期間における前記第２単位駆動期間の前記第２極性期間の合計を、前記放電灯に供給される駆動電力が小さいほど、大きく設定し、
前記第１交流期間の長さ、および前記第２交流期間の長さを、前記駆動電力が小さいほど、大きく設定することを特徴とする放電灯駆動方法。
【請求項２４】
第１電極および第２電極を有する放電灯に駆動電流を供給して、前記放電灯を駆動させる放電灯駆動方法であって、
前記放電灯に交流電流が供給される第１波形期間および第２波形期間を有する駆動電流を前記放電灯に供給するステップを備え、
前記第１波形期間および前記第２波形期間は、
前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、
前記第１極性期間と前記第２極性期間とからなり前記第２極性期間の長さが前記第１極性期間の長さよりも大きい第２単位駆動期間が複数連続して構成される第２交流期間と、
を含み、
前記第２波形期間の前記第１交流期間における前記第１極性期間の長さの合計は、前記第１波形期間の前記第１交流期間における前記第１極性期間の長さの合計よりも大きく、
前記第２波形期間の前記第２交流期間における前記第２極性期間の長さの合計は、前記第１波形期間の前記第２交流期間における前記第２極性期間の長さの合計よりも大きく、
前記駆動電流において、前記第１波形期間の長さの合計に対する前記第２波形期間の長さの合計の割合を、前記放電灯に供給される駆動電力が小さいほど、大きく設定することを特徴とする放電灯駆動方法。
【請求項２５】
第１電極および第２電極を有する放電灯に駆動電流を供給して、前記放電灯を駆動させる放電灯駆動方法であって、
前記放電灯に交流電流が供給される第１波形期間および第２波形期間を有する駆動電流を前記放電灯に供給するステップを備え、
前記第１波形期間および前記第２波形期間は、
前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、
前記第１極性期間と前記第２極性期間とからなり前記第２極性期間の長さが前記第１極性期間の長さよりも大きい第２単位駆動期間が複数連続して構成される第２交流期間と、
を含み、
前記第２波形期間の前記第１交流期間における前記第１極性期間の長さの合計は、前記第１波形期間の前記第１交流期間における前記第１極性期間の長さの合計よりも大きく、
前記第２波形期間の前記第２交流期間における前記第２極性期間の長さの合計は、前記第１波形期間の前記第２交流期間における前記第２極性期間の長さの合計よりも大きく、
前記駆動電流において、前記第１波形期間の長さの合計に対する前記第２波形期間の長さの合計の割合を、前記第１電極と前記第２電極との間の電極間電圧が大きいほど、大きく設定することを特徴とする放電灯駆動方法。
【発明の詳細な説明】
【技術分野】
【０００１】
本発明は、放電灯駆動装置、光源装置、プロジェクター、および放電灯駆動方法に関する。
【背景技術】
【０００２】
放電灯が劣化してランプ電圧が低下すると、電極が溶融しにくくなるため、電極先端の突起が細くなり、放電灯の劣化が加速的に進行する問題が知られている。
これに対して、例えば、特許文献１に示すように、放電灯に供給される交流電流の間に直流電流を挿入し、放電灯の劣化状態の進行に伴って直流電流成分を増加させる方法が提案されている。
【先行技術文献】
【特許文献】
【０００３】
【特許文献１】特開２０１１−２３２８８号公報
【発明の概要】
【発明が解決しようとする課題】
【０００４】
しかしながら、上記のような方法では、直流電流によって陽極となる側の電極先端の突起の溶融量が向上される一方で、陰極となる側の電極の温度は低下するため、陰極となる側の電極先端の形状が変形し、フリッカーが生じる問題があった。したがって、放電灯の寿命を十分に向上できない場合があった。
【０００５】
本発明の一つの態様は、上記問題点に鑑みて成されたものであって、放電灯の寿命を向上できる放電灯駆動装置、そのような放電灯駆動装置を備える光源装置、およびそのような光源装置を備えるプロジェクターを提供することを目的の一つとする。また、本発明の一つの態様は、放電灯の寿命を向上できる放電灯駆動方法を提供することを目的の一つとする。
【課題を解決するための手段】
【０００６】
本発明の放電灯駆動装置の一つの態様は、第１電極および第２電極を有する放電灯に駆動電流を供給する放電灯駆動部と、前記放電灯駆動部を制御する制御部と、を備え、前記駆動電流は、前記放電灯に交流電流が供給される第１波形期間および第２波形期間を有し、前記第１波形期間および前記第２波形期間は、前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、前記第１極性期間と前記第２極性期間とからなり前記第２極性期間の長さが前記第１極性期間の長さよりも大きい第２単位駆動期間が複数連続して構成される第２交流期間と、を含み、前記第２波形期間の前記第１交流期間における前記第１極性期間の長さの合計は、前記第１波形期間の前記第１交流期間における前記第１極性期間の長さの合計よりも大きく、前記第２波形期間の前記第２交流期間における前記第２極性期間の長さの合計は、前記第１波形期間の前記第２交流期間における前記第２極性期間の長さの合計よりも大きいことを特徴とする。
【０００７】
本発明の放電灯駆動装置の一つの態様によれば、各交流期間を構成する単位駆動期間において、第１極性期間の長さと第２極性期間の長さとは互いに異なる。そのため、交流期間においては、第１極性期間と第２極性期間とのうちの長い方の期間で陽極となる電極が加熱される。これにより、交流期間において加熱される側の電極の突起の溶融量を向上できる。一方で、交流期間を構成する複数の単位駆動期間ごとに、加熱される側とは逆の電極が加熱される期間が、加熱される側の電極を加熱する時間より短い時間設けられている。そのため、交流期間において加熱される側と逆側の電極の温度が低下することを抑制できる。これにより、電極における先端の突起が変形することを抑制でき、フリッカーが生じることを抑制できる。
【０００８】
したがって、本発明の放電灯駆動装置の一つの態様によれば、加熱される側の電極における先端の突起の溶融量を向上させつつ、加熱されるのと逆側の電極における先端の突起の変形を抑制してフリッカーを抑制できるため、放電灯の寿命を向上できる放電灯駆動装置が得られる。
【０００９】
また、本発明の放電灯駆動装置の一つの態様によれば、交流期間における第１極性期間の長さの合計と第２極性期間の長さの合計とのうち大きい方の長さの合計が、第１波形期間のよりも大きい第２波形期間が設けられている。そのため、第１波形期間と第２波形期間とにおいて、第１電極および第２電極に与えられる熱負荷を変動することができ、第１電極および第２電極の突起を安定して成長させることができる。
【００１０】
前記第２波形期間は、前記第１交流期間のみからなる第１交流波形期間と、前記第２交流期間のみからなる第２交流波形期間と、を有し、前記第１交流波形期間と前記第２交流波形期間との間には、前記第１波形期間が設けられる構成としてもよい。
この構成によれば、電極の特性に応じて、第１電極および第２電極の突起の成長を調整することが容易である。
【００１１】
前記第１交流期間の前記第１単位駆動期間における、前記第２極性期間の長さに対する前記第１極性期間の長さの比は、３．０以上であり、前記第２交流期間の前記第２単位駆動期間における、前記第１極性期間の長さに対する前記第２極性期間の長さの比は、３．０以上である構成としてもよい。
この構成によれば、加熱されるのと逆側の電極の温度が低下することを抑制しつつ、加熱される側の電極における先端の突起の溶融量をより向上できる。
【００１２】
前記第２波形期間において、前記第１交流期間の前記第１単位駆動期間における、前記第２極性期間の長さに対する前記第１極性期間の長さの比は、６．０以上であり、前記第２交流期間の前記第２単位駆動期間における、前記第１極性期間の長さに対する前記第２極性期間の長さの比は、６．０以上である構成としてもよい。
この構成によれば、電極に与える熱負荷の変動幅を大きくできるため、電極の突起の成長をより安定させることができる。
【００１３】
前記第２波形期間において、前記第１交流期間の長さおよび前記第２交流期間の長さは、２０ｍｓ以上である構成としてもよい。
この構成によれば、電極に与える熱負荷の変動幅を大きくできるため、電極の突起の成長をより安定させることができる。
【００１４】
前記第２波形期間において、前記第１交流期間の長さおよび前記第２交流期間の長さは、２００ｍｓ以上である構成としてもよい。
この構成によれば、電極に与える熱負荷の変動幅を大きくできるため、電極の突起の成長をより安定させることができる。
【００１５】
前記第２波形期間は、前記第１交流期間の前記第１単位駆動期間における前記第２極性期間の長さに対する前記第１極性期間の長さの比の最大値、および前記第２交流期間の前記第２単位駆動期間における前記第１極性期間の長さに対する前記第２極性期間の長さの比の最大値が、前記第１波形期間よりも大きい構成としてもよい。
この構成によれば、第２波形期間において電極に与える熱負荷を大きくできるため、第１波形期間と第２波形期間とで、電極に与える熱負荷の変動幅を大きくできる。これにより、電極の突起の成長をより安定させることができる。
【００１６】
前記第２波形期間は、前記第１交流期間の前記第１単位駆動期間における前記第２極性期間の長さに対する前記第１極性期間の長さの比の最小値、および前記第２交流期間の前記第２単位駆動期間における前記第１極性期間の長さに対する前記第２極性期間の長さの比の最小値が、前記第１波形期間よりも大きい構成としてもよい。
この構成によれば、第２波形期間において電極に与える熱負荷を大きくできるため、第１波形期間と第２波形期間とで、電極に与える熱負荷の変動幅を大きくできる。これにより、電極の突起の成長をより安定させることができる。
【００１７】
前記第２波形期間の前記第１交流期間の長さ、および前記第２波形期間の前記第２交流期間の長さは、それぞれ前記第１波形期間の前記第１交流期間および前記第２交流期間の長さよりも大きい構成としてもよい。
この構成によれば、第２波形期間において電極に与える熱負荷を大きくできるため、第１波形期間と第２波形期間とで、電極に与える熱負荷の変動幅を大きくできる。これにより、電極の突起の成長をより安定させることができる。
【００１８】
前記第１単位駆動期間における前記第２極性期間の長さ、および前記第２単位駆動期間における前記第１極性期間の長さは、１．０ｍｓより小さい構成としてもよい。
この構成によれば、加熱される側の電極が陽極となる時間を、相対的に大きくできるため、加熱される側の電極における先端の突起の溶融量をより向上できる。
【００１９】
前記第１単位駆動期間における前記第２極性期間の長さ、および前記第２単位駆動期間における前記第１極性期間の長さは、０．１６ｍｓ以上である構成としてもよい。
この構成によれば、加熱されるのと逆側の電極の温度が低下することを抑制できる。
【００２０】
前記第１単位駆動期間における前記第１極性期間の長さ、および前記第２単位駆動期間における前記第２極性期間の長さは、１．０ｍｓ以上である構成としてもよい。
この構成によれば、加熱される側の電極における先端の突起の溶融量をより向上できる。
【００２１】
前記第２波形期間において、前記第１単位駆動期間における前記第１極性期間の長さ、および前記第２単位駆動期間における前記第２極性期間の長さは、２．５ｍｓ以上である構成としてもよい。
この構成によれば、第２波形期間において電極に与える熱負荷を大きくできるため、第１波形期間と第２波形期間とで、電極に与える熱負荷の変動幅を大きくできる。これにより、電極の突起の成長をより安定させることができる。
【００２２】
前記第１電極と前記第２電極との間の電極間電圧を検出する電圧検出部をさらに備え、前記第１交流期間における前記第１単位駆動期間の前記第１極性期間の合計、および前記第２交流期間における前記第２単位駆動期間の前記第２極性期間の合計は、前記電極間電圧が大きいほど、大きく設定される構成としてもよい。
この構成によれば、電極間電圧が大きい場合に、電極の突起の溶融量を向上できる。
【００２３】
前記第１交流期間の長さ、および前記第２交流期間の長さは、前記電極間電圧が大きいほど、大きく設定される構成としてもよい。
この構成によれば、電極間電圧が大きい場合に、電極の突起の溶融量を向上できる。
【００２４】
前記第１単位駆動期間の前記第２極性期間の長さに対する前記第１極性期間の長さの比、および前記第２単位駆動期間の前記第１極性期間の長さに対する前記第２極性期間の長さの比は、前記電極間電圧が大きいほど、大きく設定される構成としてもよい。
この構成によれば、電極間電圧が大きい場合に、電極の突起の溶融量を向上できる。
【００２５】
前記第１電極と前記第２電極との間の電極間電圧を検出する電圧検出部をさらに備え、前記駆動電流において、前記第１波形期間の長さの合計に対する前記第２波形期間の長さの合計の割合は、前記電極間電圧が大きいほど、大きく設定される構成としてもよい。
この構成によれば、電極間電圧が大きい場合に、電極の突起の溶融量を向上できる。
【００２６】
前記第１交流期間における前記第１単位駆動期間の前記第１極性期間の合計、および前記第２交流期間における前記第２単位駆動期間の前記第２極性期間の合計は、前記放電灯に供給される駆動電力が小さいほど、大きく設定される構成としてもよい。
この構成によれば、駆動電力が小さい場合に、電極の突起の溶融量を向上できる。
【００２７】
前記第１交流期間の長さ、および前記第２交流期間の長さは、前記駆動電力が小さいほど、大きく設定される構成としてもよい。
この構成によれば、駆動電力が小さい場合に、電極の突起の溶融量を向上できる。
【００２８】
前記第１単位駆動期間の前記第２極性期間の長さに対する前記第１極性期間の長さの比、および前記第２単位駆動期間の前記第１極性期間の長さに対する前記第２極性期間の長さの比は、前記駆動電力が小さいほど、大きく設定される構成としてもよい。
この構成によれば、駆動電力が小さい場合に、電極の突起の溶融量を向上できる。
【００２９】
前記駆動電流において、前記第１波形期間の長さの合計に対する前記第２波形期間の長さの合計の割合は、前記放電灯に供給される駆動電力が小さいほど、大きく設定される構成としてもよい。
この構成によれば、駆動電力が小さい場合に、電極の突起の溶融量を向上できる。
【００３０】
本発明の光源装置の一つの態様は、光を射出する前記放電灯と、上記の放電灯駆動装置と、を備えることを特徴とする。
【００３１】
本発明の光源装置の一つの態様によれば、上記の放電灯駆動装置を備えるため、放電灯の寿命を向上できる光源装置が得られる。
【００３２】
本発明のプロジェクターの一つの態様は、上記の光源装置と、前記光源装置から射出される光を映像信号に応じて変調する光変調素子と、前記光変調素子により変調された光を投射する投射光学系と、を備えることを特徴とする。
【００３３】
本発明のプロジェクターの一つの態様によれば、上記の光源装置を備えるため、放電灯の寿命を向上できるプロジェクターが得られる。
【００３４】
本発明の放電灯駆動方法の一つの態様は、第１電極および第２電極を有する放電灯に駆動電流を供給して、前記放電灯を駆動させる放電灯駆動方法であって、前記放電灯に交流電流が供給される第１波形期間および第２波形期間を有する駆動電流を前記放電灯に供給するステップを備え、前記第１波形期間および前記第２波形期間は、前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、前記第１極性期間と前記第２極性期間とからなり前記第２極性期間の長さが前記第１極性期間の長さよりも大きい第２単位駆動期間が複数連続して構成される第２交流期間と、を含み、前記第２波形期間の前記第１交流期間における前記第１極性期間の長さの合計は、前記第１波形期間の前記第１交流期間における前記第１極性期間の長さの合計よりも大きく、前記第２波形期間の前記第２交流期間における前記第２極性期間の長さの合計は、前記第１波形期間の前記第２交流期間における前記第２極性期間の長さの合計よりも大きいことを特徴とする。
【００３５】
本発明の放電灯駆動方法の一つの態様によれば、上述したのと同様にして、放電灯の寿命を向上できる。
【図面の簡単な説明】
【００３６】
【図１】第１実施形態のプロジェクターの概略構成図である。
【図２】第１実施形態における放電灯の断面図である。
【図３】第１実施形態のプロジェクターの各種構成要素を示すブロック図である。
【図４】第１実施形態の放電灯点灯装置の回路図である。
【図５】第１実施形態の制御部の一構成例を示すブロック図である。
【図６】放電灯の電極先端の突起の様子を示す図である。
【図７】第１実施形態の駆動電流波形を示す図である。
【図８】第１実施形態の駆動電流波形の他の一例を示す図である。
【図９】第２実施形態の駆動電流波形を示す図である。
【図１０】第３実施形態の駆動電流波形を示す図である。
【発明を実施するための形態】
【００３７】
以下、図面を参照しながら、本発明の実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００３８】
＜第１実施形態＞
図１に示すように、本実施形態のプロジェクター５００は、光源装置２００と、平行化レンズ３０５と、照明光学系３１０と、色分離光学系３２０と、３つの液晶ライトバルブ３３０Ｒ，３３０Ｇ，３３０Ｂ（光変調素子）と、クロスダイクロイックプリズム３４０と、投射光学系３５０と、を備えている。
【００３９】
光源装置２００から射出された光は、平行化レンズ３０５を通過して照明光学系３１０に入射する。平行化レンズ３０５は、光源装置２００からの光を平行化する。
【００４０】
照明光学系３１０は、光源装置２００から射出される光の照度を、液晶ライトバルブ３３０Ｒ，３３０Ｇ，３３０Ｂ上において均一化するように調整する。さらに、照明光学系３１０は、光源装置２００から射出される光の偏光方向を一方向に揃える。その理由は、光源装置２００から射出される光を液晶ライトバルブ３３０Ｒ，３３０Ｇ，３３０Ｂで有効に利用するためである。
【００４１】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色光に対応付けられた液晶ライトバルブ３３０Ｒ，３３０Ｇ，３３０Ｂによりそれぞれ変調される。液晶ライトバルブ３３０Ｒ，３３０Ｇ，３３０Ｂは、後述する液晶パネル５６０Ｒ，５６０Ｇ，５６０Ｂと、偏光板（図示せず）と、を備えている。偏光板は、液晶パネル５６０Ｒ，５６０Ｇ，５６０Ｂのそれぞれの光入射側および光射出側に配置される。
【００４２】
変調された３つの色光は、クロスダイクロイックプリズム３４０により合成される。合成光は投射光学系３５０に入射する。投射光学系３５０は、入射光をスクリーン７００（図３参照）に投射する。これにより、スクリーン７００上に映像が表示される。なお、平行化レンズ３０５、照明光学系３１０、色分離光学系３２０、クロスダイクロイックプリズム３４０、投射光学系３５０の各々の構成としては、周知の構成を採用することができる。
【００４３】
図２は、光源装置２００の構成を示す断面図である。光源装置２００は、光源ユニット２１０と、放電灯点灯装置（放電灯駆動装置）１０と、を備えている。図２には、光源ユニット２１０の断面図が示されている。光源ユニット２１０は、主反射鏡１１２と、放電灯９０と、副反射鏡５０と、を備えている。
【００４４】
放電灯点灯装置１０は、放電灯９０に駆動電力（駆動電流）を供給して放電灯９０を点灯させる。主反射鏡１１２は、放電灯９０から放出された光を照射方向Ｄに向けて反射する。照射方向Ｄは、放電灯９０の光軸ＡＸと平行である。
【００４５】
放電灯９０の形状は、照射方向Ｄに沿って延びる棒状である。放電灯９０の一方の端部を第１端部９０ｅ１とし、放電灯９０の他方の端部を第２端部９０ｅ２とする。放電灯９０の材料は、例えば、石英ガラス等の透光性材料である。放電灯９０の中央部は球状に膨らんでおり、その内部は放電空間９１である。放電空間９１には、希ガス、金属ハロゲン化合物等を含む放電媒体であるガスが封入されている。
【００４６】
放電空間９１には、第１電極９２および第２電極９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００４７】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００４８】
第１端子５３６および第２端子５４６は、放電灯点灯装置１０に接続されている。放電灯点灯装置１０は、第１端子５３６および第２端子５４６に、放電灯９０を駆動するための駆動電力Ｗｄを供給する。その結果、第１電極９２および第２電極９３の間でアーク放電が起きる。アーク放電により発生した光（放電光）は、破線の矢印で示すように、放電位置から全方向に向かって放射される。
【００４９】
主反射鏡１１２は、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００５０】
副反射鏡５０は、固定部材５２２により、放電灯９０の第２端部９０ｅ２側に固定されている。副反射鏡５０の反射面（放電灯９０側の面）の形状は、放電空間９１の第２端部９０ｅ２側の部分を囲む球面形状である。副反射鏡５０は、放電光のうち、主反射鏡１１２が配置された側と反対側に向かって進む光を主反射鏡１１２に向かって反射する。これにより、放電空間９１から放射される光の利用効率を高めることができる。
【００５１】
固定部材１１４，５２２の材料は、放電灯９０からの発熱に耐え得る耐熱材料である範囲内において、特に限定されず、例えば、無機接着剤である。主反射鏡１１２および副反射鏡５０と放電灯９０との配置を固定する方法としては、主反射鏡１１２および副反射鏡５０を放電灯９０に固定する方法に限らず、任意の方法を採用できる。例えば、放電灯９０と主反射鏡１１２とを、独立にプロジェクター５００の筐体（図示せず）に固定してもよい。副反射鏡５０についても同様である。
【００５２】
以下、プロジェクター５００の回路構成について説明する。
図３は、本実施形態のプロジェクター５００の回路構成の一例を示す図である。プロジェクター５００は、図１に示した光学系の他、画像信号変換部５１０と、直流電源装置８０と、液晶パネル５６０Ｒ，５６０Ｇ，５６０Ｂと、画像処理装置５７０と、ＣＰＵ（Central Processing Unit）５８０と、を備えている。
【００５３】
画像信号変換部５１０は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００５４】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００５５】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５１０、画像処理装置５７０およびトランスの１次側にある放電灯点灯装置１０に直流電圧を供給する。
【００５６】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００５７】
液晶パネル５６０Ｒ，５６０Ｇ，５６０Ｂは、前述した液晶ライトバルブ３３０Ｒ，３３０Ｇ，３３０Ｂにそれぞれ備えられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。
【００５８】
ＣＰＵ５８０は、プロジェクター５００の点灯開始から消灯に至るまでの各種の動作を制御する。例えば、図３の例では、通信信号５８２を介して点灯命令や消灯命令を放電灯点灯装置１０に出力する。ＣＰＵ５８０は、放電灯点灯装置１０から通信信号５８４を介して放電灯９０の点灯情報を受け取る。
【００５９】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と、制御部４０と、動作検出部（電圧検出部）６０と、イグナイター回路７０と、を備えている。
【００６０】
電力制御回路２０は、放電灯９０に供給する駆動電力Ｗｄを生成する。本実施形態においては、電力制御回路２０は、直流電源装置８０からの電圧を入力とし、入力電圧を降圧して直流電流Ｉｄを出力するダウンチョッパー回路で構成されている。
【００６１】
電力制御回路２０は、スイッチ素子２１、ダイオード２２、コイル２３およびコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子およびコイル２３の一端に接続されている。
【００６２】
コイル２３の他端にコンデンサー２４の一端が接続され、コンデンサー２４の他端はダイオード２２のアノード端子および直流電源装置８０の負電圧側に接続されている。スイッチ素子２１の制御端子には、後述する制御部４０から電流制御信号が入力されてスイッチ素子２１のＯＮ／ＯＦＦが制御される。電流制御信号には、例えば、ＰＷＭ（Pulse Width Modulation）制御信号が用いられてもよい。
【００６３】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００６４】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００６５】
極性反転回路３０は、例えば、トランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御部４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００６６】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。極性反転回路３０は、第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００６７】
すなわち、極性反転回路３０は、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００６８】
本実施形態において、電力制御回路２０と極性反転回路３０とを合わせた部分が放電灯駆動部２３０に対応する。すなわち、放電灯駆動部２３０は、放電灯９０を駆動する駆動電流Ｉ（駆動電力）を放電灯９０に供給する。
【００６９】
制御部４０は、放電灯駆動部２３０を制御する。図４の例では、制御部４０は、電力制御回路２０および極性反転回路３０を制御することにより、駆動電流Ｉが同一極性を継続する保持時間、駆動電流Ｉの電流値（駆動電力Ｗｄの電力値）、周波数等のパラメーターを制御する。制御部４０は、極性反転回路３０に対して、駆動電流Ｉの極性反転タイミングにより、駆動電流Ｉが同一極性で継続する保持時間、駆動電流Ｉの周波数等を制御する極性反転制御を行う。制御部４０は、電力制御回路２０に対して、出力される直流電流Ｉｄの電流値を制御する電流制御を行う。
【００７０】
制御部４０の構成は、特に限定されない。本実施形態においては、制御部４０は、システムコントローラー４１、電力制御回路コントローラー４２、および極性反転回路コントローラー４３を含んで構成されている。なお、制御部４０は、その一部または全てを半導体集積回路で構成してもよい。
【００７１】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧（電極間電圧）Ｖｌａおよび駆動電流Ｉに基づき、電力制御回路コントローラー４２および極性反転回路コントローラー４３を制御してもよい。
【００７２】
本実施形態においては、システムコントローラー４１は、記憶部４４を含んで構成されている。記憶部４４は、システムコントローラー４１とは独立に設けられてもよい。
【００７３】
システムコントローラー４１は、記憶部４４に格納された情報に基づき、電力制御回路２０および極性反転回路３０を制御してもよい。記憶部４４には、例えば、駆動電流Ｉが同一極性で継続する保持時間、駆動電流Ｉの電流値、周波数、波形、変調パターン等の駆動パラメーターに関する情報が格納されていてもよい。
【００７４】
電力制御回路コントローラー４２は、システムコントローラー４１からの制御信号に基づき、電力制御回路２０へ電流制御信号を出力することにより、電力制御回路２０を制御する。
【００７５】
極性反転回路コントローラー４３は、システムコントローラー４１からの制御信号に基づき、極性反転回路３０へ極性反転制御信号を出力することにより、極性反転回路３０を制御する。
【００７６】
制御部４０は、専用回路を用いて実現され、上述した制御や後述する処理の各種制御を行うようにすることができる。これに対して、制御部４０は、例えば、ＣＰＵが記憶部４４に記憶された制御プログラムを実行することによりコンピューターとして機能し、これらの処理の各種制御を行うようにすることもできる。
【００７７】
図５は、制御部４０の他の構成例について説明するための図である。図５に示すように、制御部４０は、制御プログラムにより、電力制御回路２０を制御する電流制御手段４０−１、極性反転回路３０を制御する極性反転制御手段４０−２として機能するように構成されてもよい。
【００７８】
図４に示した例では、制御部４０は、放電灯点灯装置１０の一部として構成されている。これに対して、制御部４０の機能の一部をＣＰＵ５８０が担うように構成されていてもよい。
【００７９】
動作検出部６０は、本実施形態においては、放電灯９０のランプ電圧を検出して制御部４０にランプ電圧情報を出力する電圧検出部を含む。また、動作検出部６０は、駆動電流Ｉを検出して制御部４０に駆動電流情報を出力する電流検出部などを含んでいてもよい。本実施形態においては、動作検出部６０は、第１の抵抗６１、第２の抵抗６２および第３の抵抗６３を含んで構成されている。
【００８０】
本実施形態において、動作検出部６０の電圧検出部は、放電灯９０と並列に、互いに直列接続された第１の抵抗６１および第２の抵抗６２で分圧した電圧によりランプ電圧Ｖｌａを検出する。また、本実施形態において、電流検出部は、放電灯９０に直列に接続された第３の抵抗６３に発生する電圧により駆動電流Ｉを検出する。
【００８１】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を、放電灯９０の電極間（第１電極９２と第２電極９３との間）に供給する。本実施形態においては、イグナイター回路７０は、放電灯９０と並列に接続されている。
【００８２】
図６（ａ），（ｂ）には、第１電極９２および第２電極９３の先端部分が示されている。第１電極９２および第２電極９３の先端にはそれぞれ突起５５２ｐ，５６２ｐが形成されている。第１電極９２と第２電極９３の間で生じる放電は、主として突起５５２ｐと突起５６２ｐとの間で生じる。本実施形態のように突起５５２ｐ，５６２ｐがある場合には、突起が無い場合と比べて、第１電極９２および第２電極９３における放電位置（アーク位置）の移動を抑えることができる。
【００８３】
図６（ａ）は、第１電極９２が陽極として動作し、第２電極９３が陰極として動作する第１極性状態を示している。第１極性状態では、放電により、第２電極９３（陰極）から第１電極９２（陽極）へ電子が移動する。陰極（第２電極９３）からは電子が放出される。陰極（第２電極９３）から放出された電子は陽極（第１電極９２）の先端に衝突する。この衝突によって熱が生じ、陽極（第１電極９２）の先端（突起５５２ｐ）の温度が上昇する。
【００８４】
図６（ｂ）は、第１電極９２が陰極として動作し、第２電極９３が陽極として動作する第２極性状態を示している。第２極性状態では、第１極性状態とは逆に、第１電極９２から第２電極９３へ電子が移動する。その結果、第２電極９３の先端（突起５６２ｐ）の温度が上昇する。
【００８５】
このように、放電灯９０に駆動電流Ｉが供給されることで、電子が衝突する陽極の温度は上昇する。一方、電子を放出する陰極は、陽極に向けて電子を放出している間、温度は低下する。
【００８６】
次に、制御部４０による放電灯駆動部２３０の制御について説明する。
図７は、本実施形態の放電灯９０に供給される駆動電流Ｉの駆動電流波形ＤＷ１を示す図である。図７において、縦軸は駆動電流Ｉを示しており、横軸は時間Ｔを示している。
本実施形態において制御部４０は、図７に示す駆動電流波形ＤＷ１に従って放電灯駆動部２３０を制御する。
【００８７】
［駆動電流波形］
駆動電流波形ＤＷ１は、図７に示すように、複数の制御サイクルＣ１が連続して構成される。制御サイクルＣ１は、第１波形期間ＣＡと、第２波形期間ＣＢと、第３波形期間ＣＣと、をこの順で含む。すなわち、駆動電流波形ＤＷ１（駆動電流Ｉ）は、第１波形期間ＣＡと、第２波形期間ＣＢと、第３波形期間ＣＣと、を複数有する。
【００８８】
（第１波形期間）
本実施形態の第１波形期間ＣＡは、第１交流期間ＰＨ１１と、第２交流期間ＰＨ２１と、を含む。第１交流期間ＰＨ１１と第２交流期間ＰＨ２１とは、駆動電流Ｉとして、電流値Ｉｍ１と電流値−Ｉｍ１との間で極性が反転される交流電流が放電灯９０に供給される期間である。
【００８９】
第１交流期間ＰＨ１１は、第１電極９２が加熱される期間である。第１交流期間ＰＨ１１は、第１電極９２が陽極となる第１極性期間Ｐ１１ａと第２電極９３が陽極となる第２極性期間Ｐ１１ｂとからなる第１単位駆動期間Ｕ１１が複数連続して構成されている。本実施形態においては、第１交流期間ＰＨ１１は、例えば、６つの第１単位駆動期間Ｕ１１で構成されている。
【００９０】
第２交流期間ＰＨ２１は、第２電極９３が加熱される期間である。第２交流期間ＰＨ２１は、第１電極９２が陽極となる第１極性期間Ｐ２１ａと第２電極９３が陽極となる第２極性期間Ｐ２１ｂとからなる第２単位駆動期間Ｕ２１が複数連続して構成されている。本実施形態においては、第２交流期間ＰＨ２１は、例えば、６つの第２単位駆動期間Ｕ２１で構成されている。
【００９１】
本実施形態の第１波形期間ＣＡにおいては、例えば、第１交流期間ＰＨ１１の波形と第２交流期間ＰＨ２１の波形とは、極性が反転している点を除いて同一となるように設定されている。すなわち、各第１単位駆動期間Ｕ１１における第１極性期間Ｐ１１ａの長さｔ１１ａは、各第２単位駆動期間Ｕ２１における第２極性期間Ｐ２１ｂの長さｔ２１ｂとそれぞれ等しい。各第１単位駆動期間Ｕ１１における第２極性期間Ｐ１１ｂの長さｔ１１ｂは、各第２単位駆動期間Ｕ２１における第１極性期間Ｐ２１ａの長さｔ２１ａとそれぞれ等しい。
【００９２】
そのため、本実施形態においては、第１交流期間ＰＨ１１の長さｔ１１と第２交流期間ＰＨ２１の長さｔ２１とは、等しい。
本実施形態において、第１交流期間ＰＨ１１の長さｔ１１および第２交流期間ＰＨ２１の長さｔ２１は、例えば、５．０ｍｓ（ミリ秒）以上に設定される。このように設定することで、第１電極９２および第２電極９３における突起５５２ｐおよび突起５６２ｐの溶融量を向上できる。
【００９３】
なお、本明細書において、２つの期間の長さが等しいとは、２つの期間の長さが厳密に同一である場合だけでなく、２つの期間の長さの比が、０．９以上、１．１以下程度である範囲を含む。
【００９４】
また、以下に説明する第２波形期間ＣＢおよび第３波形期間ＣＣにおいても、第１交流期間と第２交流期間とは、極性が反転していることを除いて同一の波形を有する。そのため、以下の説明においては、代表して第１交流期間についてのみ説明する場合がある。
【００９５】
第１交流期間ＰＨ１１の第１単位駆動期間Ｕ１１において、第２極性期間Ｐ１１ｂの長さｔ１１ｂに対する第１極性期間Ｐ１１ａの長さｔ１１ａの比は、１より大きい。言い換えると、第１単位駆動期間Ｕ１１において、第２極性に保持される保持時間に対する第１極性に保持される保持時間の保持時間比は、所定値Ｘ（Ｘ＞１）以上となるように設定される。そのため、第１単位駆動期間Ｕ１１においては、第１極性期間Ｐ１１ａの長さｔ１１ａは、第２極性期間Ｐ１１ｂの長さｔ１１ｂより大きい。すなわち、第１極性期間Ｐ１１ａの長さｔ１１ａと、第２極性期間Ｐ１１ｂの長さｔ１１ｂと、は互いに異なる。
【００９６】
これにより、複数の第１単位駆動期間Ｕ１１が連続して構成されている第１交流期間ＰＨ１１においては、第１極性期間Ｐ１１ａの長さｔ１１ａの合計が、第２極性期間Ｐ１１ｂの長さｔ１１ｂの合計より大きい。したがって、第１交流期間ＰＨ１１においては、第１極性期間Ｐ１１ａにおいて陽極となる第１電極９２が加熱される。
【００９７】
本実施形態においては、例えば、上記の所定値Ｘは、３．０以上に設定される。言い換えると、第１交流期間ＰＨ１１における、第２極性期間Ｐ１１ｂの長さｔ１１ｂに対する第１極性期間Ｐ１１ａの長さｔ１１ａの比（保持時間比）は、３．０以上である。
このように設定することで、加熱されるのと逆の電極、すなわち、第１交流期間ＰＨ１１においては第２電極９３の温度が低下するのを抑制しつつ、第１交流期間ＰＨ１１において加熱される第１電極９２の溶融量をより向上できる。
【００９８】
なお、以下の説明においては、単位駆動期間における第１極性期間と第２極性期間とのうち、短い方の極性期間の長さに対する、長い方の極性期間の長さの比を、保持時間比と呼ぶ場合がある。
【００９９】
本実施形態においては、各第１単位駆動期間Ｕ１１の長さは、例えば、互いに異なる。これにより、本実施形態においては、時間的に隣り合う第１単位駆動期間Ｕ１１の長さは、互いに異なる。
【０１００】
本実施形態においては、例えば、第１単位駆動期間Ｕ１１における第１極性期間Ｐ１１ａの長さｔ１１ａは、１．０ｍｓ（ミリ秒）以上である。言い換えると、第１極性期間Ｐ１１ａの長さｔ１１ａは、５００Ｈｚの半周期の長さ以上である。
このように設定することで、第１電極９２における先端の突起５５２ｐの溶融量を効果的に向上できる。
【０１０１】
本実施形態においては、例えば、各第１単位駆動期間Ｕ１１にそれぞれ含まれる第１極性期間Ｐ１１ａの長さｔ１１ａは、互いに異なる。これにより、第１交流期間ＰＨ１１において、第２極性期間Ｐ１１ｂを挟んで隣り合う第１極性期間Ｐ１１ａの長さｔ１１ａは、互いに異なる。
【０１０２】
本実施形態において、第１単位駆動期間Ｕ１１における第２極性期間Ｐ１１ｂの長さｔ１１ｂは、例えば、約０．１６ｍｓ（ミリ秒）以上であり、かつ、１．０ｍｓ（ミリ秒）より小さい。言い換えると、第２極性期間Ｐ１１ｂの長さｔ１１ｂは、３ｋＨｚの半周期の長さ以上であり、かつ、５００Ｈｚの半周期の長さより小さい。
このように設定されることで、第１交流期間ＰＨ１１において、第２電極９３の温度が低下することを抑制しつつ、第１電極９２の溶融量をより向上できる。
【０１０３】
（第２波形期間）
本実施形態の第２波形期間ＣＢは、第１交流期間ＰＨ１２と、第２交流期間ＰＨ２２と、を含む。第１交流期間ＰＨ１２と第２交流期間ＰＨ２２とは、駆動電流Ｉとして、電流値Ｉｍ１と電流値−Ｉｍ１との間で極性が反転される交流電流が放電灯９０に供給される期間である。
【０１０４】
第１交流期間ＰＨ１２は、第１極性期間Ｐ１２ａと第２極性期間Ｐ１２ｂとからなる第１単位駆動期間Ｕ１２が複数連続して構成されている。
第２交流期間ＰＨ２２は、第１極性期間Ｐ２２ａと第２極性期間Ｐ２２ｂとからなる第２単位駆動期間Ｕ２２が複数連続して構成されている。
【０１０５】
本実施形態の第２波形期間ＣＢにおいては、第１波形期間ＣＡと同様に、例えば、第１交流期間ＰＨ１２の波形と第２交流期間ＰＨ２２の波形とは、極性が反転している点を除いて同一となるように設定されている。すなわち、各第１単位駆動期間Ｕ１２における第１極性期間Ｐ１２ａの長さｔ１２ａは、各第２単位駆動期間Ｕ２２における第２極性期間Ｐ２２ｂの長さｔ２２ｂとそれぞれ等しい。各第１単位駆動期間Ｕ１２における第２極性期間Ｐ１２ｂの長さｔ１２ｂは、各第２単位駆動期間Ｕ２２における第１極性期間Ｐ２２ａの長さｔ２２ａとそれぞれ等しい。
【０１０６】
第２波形期間ＣＢの第１交流期間ＰＨ１２の長さｔ１２は、第１波形期間ＣＡの第１交流期間ＰＨ１１の長さｔ１１よりも大きい。
本実施形態において、第１交流期間ＰＨ１２の長さｔ１２は、例えば、２０ｍｓ（ミリ秒）以上に設定されることが好ましく、２００ｍｓ（ミリ秒）以上に設定されることがより好ましい。このように設定することで、第２波形期間ＣＢにおいて第１電極９２に与える負荷を、第１波形期間ＣＡに対して好適に大きくすることができる。これにより、第１波形期間ＣＡと第２波形期間ＣＢとにおける、第１電極９２に与える熱負荷の変動幅を大きくできるため、第１電極９２の突起５５２ｐを安定して成長させることができる。
【０１０７】
第２波形期間ＣＢに含まれる第１交流期間ＰＨ１２および第２交流期間ＰＨ２２は、第１波形期間ＣＡに含まれる第１交流期間ＰＨ１１および第２交流期間ＰＨ２１に対して、各期間を構成する単位駆動期間の第１極性期間の長さと第２極性期間の長さとの比の範囲が異なる。
【０１０８】
本実施形態においては、第２波形期間ＣＢの第１単位駆動期間Ｕ１２における、第２極性期間Ｐ１２ｂの長さｔ１２ｂに対する第１極性期間Ｐ１２ａの長さｔ１２ａの比（保持時間比）の範囲は、第１波形期間ＣＡの第１単位駆動期間Ｕ１１における、第２極性期間Ｐ１１ｂの長さｔ１１ｂに対する第１極性期間Ｐ１１ａの長さｔ１１ａの比（保持時間比）の範囲よりも大きい。
【０１０９】
本実施形態においては、例えば、第２波形期間ＣＢの保持時間比の最大値は、第１波形期間ＣＡの保持時間比の最大値よりも大きい。第２交流期間ＰＨ２２においても同様である。すなわち、第２波形期間ＣＢの交流期間における、短い方の極性期間の長さに対する長い方の極性期間の長さの比の最大値は、第１波形期間ＣＡの交流期間における、短い方の極性期間の長さに対する長い方の極性期間の長さの比の最大値よりも大きい。
【０１１０】
また、本実施形態においては、例えば、第２波形期間ＣＢの保持時間比の最小値は、第１波形期間ＣＡの保持時間比の最小値よりも大きい。第２交流期間ＰＨ２２においても同様である。すなわち、第２波形期間ＣＢの交流期間における、短い方の極性期間の長さに対する長い方の極性期間の長さの比の最小値は、第１波形期間ＣＡの交流期間における、短い方の極性期間の長さに対する長い方の極性期間の長さの比の最小値よりも大きい。
【０１１１】
本実施形態においては、例えば、第２波形期間ＣＢの保持時間比は、第１波形期間ＣＡと同様に、１．０より大きい。本実施形態において第２波形期間ＣＢの保持時間比は、３．０以上に設定され、好ましくは６．０以上に設定される。
このように設定することで、第１電極９２に与える熱負荷の変動幅を大きくできるため、第１電極９２の突起５５２ｐを安定して成長させることができる。
【０１１２】
本実施形態においては、各第１単位駆動期間Ｕ１２の長さは、互いに異なる。これにより、本実施形態においては、時間的に隣り合う第１単位駆動期間Ｕ１２の長さは、互いに異なる。
【０１１３】
本実施形態においては、第２波形期間ＣＢの第１極性期間Ｐ１２ａの長さｔ１２ａは、例えば、１．０ｍｓ（ミリ秒）以上であり、好ましくは、２．５ｍｓ（ミリ秒）以上である。言い換えると、第２波形期間ＣＢの第１極性期間Ｐ１２ａの長さｔ１２ａは、５００Ｈｚの半周期の長さ以上であり、好ましくは、２００Ｈｚの半周期の長さ以上である。
このように設定することで、第１電極９２に与える熱負荷の変動幅を大きくできるため、第１電極９２の突起５５２ｐを安定して成長させることができる。
【０１１４】
第２波形期間ＣＢの第１交流期間ＰＨ１２における、第１極性期間Ｐ１２ａの合計は、第１波形期間ＣＡの第１交流期間ＰＨ１１における、第１極性期間Ｐ１１ａの合計よりも大きい。第２波形期間ＣＢの第２交流期間ＰＨ２２における、第２極性期間Ｐ２２ｂの合計は、第１波形期間ＣＡの第２交流期間ＰＨ２１における、第２極性期間Ｐ２１ｂの合計よりも大きい。
【０１１５】
言い換えると、第２波形期間ＣＢの交流期間における、第１極性期間の長さの合計と第２極性期間の長さの合計とのうち大きい方の長さの合計は、第１波形期間ＣＡの交流期間における、第１極性期間の長さの合計と第２極性期間の長さの合計とのうち大きい方の長さの合計よりも大きい。
【０１１６】
（第３波形期間）
第３波形期間ＣＣは、第１交流期間ＰＨ１３と、第２交流期間ＰＨ２３と、を含む。第１交流期間ＰＨ１３と第２交流期間ＰＨ２３とは、駆動電流Ｉとして、電流値Ｉｍ１と電流値−Ｉｍ１との間で極性が反転される交流電流が放電灯９０に供給される期間である。
【０１１７】
第１交流期間ＰＨ１３は、第１極性期間Ｐ１３ａと第２極性期間Ｐ１３ｂとからなる第１単位駆動期間Ｕ１３が複数連続して構成されている。
第２交流期間ＰＨ２３は、第１極性期間Ｐ２３ａと第２極性期間Ｐ２３ｂとからなる第２単位駆動期間Ｕ２３が複数連続して構成されている。
【０１１８】
本実施形態の第３波形期間ＣＣにおいては、第１波形期間ＣＡと同様に、例えば、第１交流期間ＰＨ１３の波形と第２交流期間ＰＨ２３の波形とは、極性が反転している点を除いて同一となるように設定されている。すなわち、各第１単位駆動期間Ｕ１３における第１極性期間Ｐ１３ａの長さｔ１３ａは、各第２単位駆動期間Ｕ２３における第２極性期間Ｐ２３ｂの長さｔ２３ｂとそれぞれ等しい。各第１単位駆動期間Ｕ１３における第２極性期間Ｐ１３ｂの長さｔ１３ｂは、各第２単位駆動期間Ｕ２３における第１極性期間Ｐ２３ａの長さｔ２３ａとそれぞれ等しい。
【０１１９】
第３波形期間ＣＣの第１交流期間ＰＨ１３の長さｔ１３は、第１波形期間ＣＡの第１交流期間ＰＨ１１の長さｔ１１よりも大きく、かつ、第２波形期間ＣＢの第１交流期間ＰＨ１２の長さｔ１２よりも大きい。
【０１２０】
本実施形態において、第１交流期間ＰＨ１３の長さｔ１３は、例えば、２０ｍｓ（ミリ秒）以上に設定されることが好ましく、２００ｍｓ（ミリ秒）以上に設定されることがより好ましい。このように設定することで、第３波形期間ＣＣにおいて第１電極９２に与える負荷を、第１波形期間ＣＡに対して好適に大きくすることができる。これにより、第１波形期間ＣＡと第３波形期間ＣＣとにおける、第１電極９２に与える熱負荷の変動幅を大きくできるため、第１電極９２の突起５５２ｐを安定して成長させることができる。
【０１２１】
第３波形期間ＣＣに含まれる第１交流期間ＰＨ１２および第２交流期間ＰＨ２２は、第１波形期間ＣＡに含まれる第１交流期間ＰＨ１１および第２交流期間ＰＨ２１と、第２波形期間ＣＢに含まれる第１交流期間ＰＨ１２および第２交流期間ＰＨ２２と、に対して、各期間を構成する単位駆動期間の第１極性期間の長さと第２極性期間の長さとの比の範囲が異なる。
【０１２２】
本実施形態においては、第３波形期間ＣＣの第１単位駆動期間Ｕ１３における、第２極性期間Ｐ１３ｂの長さｔ１３ｂに対する第１極性期間Ｐ１３ａの長さｔ１３ａの比（保持時間比）の範囲は、第１波形期間ＣＡの第１単位駆動期間Ｕ１１における、第２極性期間Ｐ１１ｂの長さｔ１１ｂに対する第１極性期間Ｐ１１ａの長さｔ１１ａの比（保持時間比）の範囲よりも大きい。また、第３波形期間ＣＣの保持時間比の範囲は、第２波形期間ＣＢの保持時間比の範囲よりも大きい。
【０１２３】
本実施形態においては、例えば、第３波形期間ＣＣの保持時間比の最大値は、第１波形期間ＣＡの保持時間比の最大値よりも大きく、かつ、第２波形期間ＣＢの保持時間比の最大値よりも大きい。
また、本実施形態においては、例えば、第３波形期間ＣＣの保持時間比の最小値は、第１波形期間ＣＡの保持時間比の最小値よりも大きく、かつ、第２波形期間ＣＢの保持時間比の最小値よりも大きい。
【０１２４】
本実施形態においては、例えば、第３波形期間ＣＣの保持時間比は、第１波形期間ＣＡと同様に、１．０より大きい。本実施形態において第３波形期間ＣＣの保持時間比は、３．０以上に設定され、好ましくは６．０以上に設定され、より好ましくは１０．０以上に設定される。
このように設定することで、第１電極９２に与える熱負荷の変動幅を大きくできるため、第１電極９２の突起５５２ｐを安定して成長させることができる。
【０１２５】
本実施形態においては、各第１単位駆動期間Ｕ１３の長さは、互いに異なる。これにより、本実施形態においては、時間的に隣り合う第１単位駆動期間Ｕ１３の長さは、互いに異なる。
【０１２６】
本実施形態においては、第３波形期間ＣＣの第１極性期間Ｐ１３ａの長さｔ１３ａは、例えば、１．０ｍｓ（ミリ秒）以上であり、好ましくは、２．５ｍｓ（ミリ秒）以上である。このように設定することで、第１電極９２に与える熱負荷の変動幅を大きくできるため、第１電極９２の突起５５２ｐを安定して成長させることができる。
【０１２７】
第３波形期間ＣＣの第１交流期間ＰＨ１３における、第１極性期間Ｐ１３ａの合計は、第２波形期間ＣＢの第１交流期間ＰＨ１２における、第１極性期間Ｐ１２ａの合計よりも大きい。第３波形期間ＣＣの第２交流期間ＰＨ２３における、第２極性期間Ｐ２３ｂの合計は、第２波形期間ＣＢの第２交流期間ＰＨ２２における、第２極性期間Ｐ２２ｂの合計よりも大きい。
【０１２８】
言い換えると、第３波形期間ＣＣの交流期間における、第１極性期間の長さの合計と第２極性期間の長さの合計とのうち大きい方の長さの合計は、第２波形期間ＣＢの交流期間における、第１極性期間の長さの合計と第２極性期間の長さの合計とのうち大きい方の長さの合計よりも大きい。
【０１２９】
本実施形態においては、第１波形期間ＣＡの第１交流期間ＰＨ１１および第２交流期間ＰＨ２１における駆動電流の波形を、波形Ａと呼ぶ。本実施形態においては、第２波形期間ＣＢの第１交流期間ＰＨ１２および第２交流期間ＰＨ２２における駆動電流の波形を、波形Ｂと呼ぶ。本実施形態においては、第３波形期間ＣＣの第１交流期間ＰＨ１３および第２交流期間ＰＨ２３における駆動電流の波形を、波形Ｃと呼ぶ。
各波形の一例を表１から表４に示す。
【０１３０】
【表１】
0006447235.tif 000002
【０１３１】
【表２】
0006447235.tif 000003
【０１３２】
【表３】
0006447235.tif 000004
【０１３３】
【表４】
0006447235.tif 000005
【０１３４】
表１から表３には、各波形期間における第１交流期間の波形、すなわち、第１交流期間に含まれる第１単位駆動期間における第１極性期間の長さと、第２極性期間の長さと、保持時間比と、の一例が示されている。
表４には、表１から表３の例における、第１交流期間の各波形における第１極性期間の長さの合計と、各第１交流期間の長さと、が示されている。
【０１３５】
表１に示す例では、第１波形期間ＣＡの保持時間比は、例えば、３．５６以上、６．１４以下の範囲で設定されている。
表２に示す例では、第２波形期間ＣＢの保持時間比は、例えば、７．１１以上、１２．２９以下の範囲で設定されている。
表３に示す例では、第３波形期間ＣＣの保持時間比は、例えば、１０．６７以上、１８．４３以下の範囲で設定されている。
なお、表１から表３の例においては、第２極性期間の長さの範囲は、波形Ａ，Ｂ，Ｃともに同様の範囲に設定されている。
【０１３６】
また、表４に示すように、第１波形期間ＣＡと、第２波形期間ＣＢと、第３波形期間ＣＣとは、この順で、各第１交流期間に含まれる第１極性期間の長さの合計が大きくなるように設定される。すなわち、波形Ａと、波形Ｂと、波形Ｃとは、この順で、電極に与える熱負荷が大きくなる。
【０１３７】
本実施形態においては、波形Ａと波形Ｂとの関係においては、波形Ａを有する第１波形期間ＣＡが特許請求の範囲における第１波形期間に相当し、波形Ｂを有する第２波形期間ＣＢが特許請求の範囲における第２波形期間に相当する。また、波形Ａと波形Ｃとの関係においては、波形Ａを有する第１波形期間ＣＡが特許請求の範囲における第１波形期間に相当し、波形Ｃを有する第３波形期間ＣＣが特許請求の範囲における第２波形期間に相当する。また、波形Ｂと波形Ｃとの関係においては、波形Ｂを有する第２波形期間ＣＢが特許請求の範囲における第１波形期間に相当し、波形Ｃを有する第３波形期間ＣＣが特許請求の範囲における第２波形期間に相当する。
【０１３８】
以上に説明したように、本実施形態の制御部４０は、駆動電流波形ＤＷ１に従って、上記説明した各期間に応じた駆動電流Ｉが放電灯９０に供給されるようにして放電灯駆動部２３０を制御する。
【０１３９】
上記の制御部４０による放電灯駆動部２３０の制御は、放電灯駆動方法として表現することもできる。すなわち、本実施形態の放電灯駆動方法は、第１電極９２および第２電極９３を有する放電灯９０に駆動電流Ｉを供給して、放電灯９０を駆動させる放電灯駆動方法であって、放電灯９０に交流電流が供給される第１波形期間ＣＡおよび第２波形期間ＣＢを有し、第１波形期間ＣＡおよび第２波形期間ＣＢは、第１電極９２が陽極となる第１極性期間と第２電極９３が陽極となる第２極性期間とからなり第１極性期間の長さが第２極性期間の長さよりも大きい第１単位駆動期間が複数連続して構成される第１交流期間と、第１極性期間と第２極性期間とからなり第２極性期間の長さが第１極性期間の長さよりも大きい第２単位駆動期間が複数連続して構成される第２交流期間と、を含み、第２波形期間ＣＢの第１交流期間における第１極性期間の長さの合計は、第１波形期間ＣＡの第１交流期間における第１極性期間の長さの合計よりも大きく、第２波形期間ＣＢの第２交流期間における第２極性期間の長さの合計は、第１波形期間ＣＡの第２交流期間における第２極性期間の長さの合計よりも大きいことを特徴とする。
【０１４０】
本実施形態によれば、第１波形期間ＣＡの第１交流期間ＰＨ１１を構成する第１単位駆動期間Ｕ１１において、第２極性期間Ｐ１１ｂの長さｔ１１ｂに対する第１極性期間Ｐ１１ａの長さｔ１１ａの比が１より大きい。そのため、第１交流期間ＰＨ１１において、第１極性期間Ｐ１１ａの長さｔ１１ａの合計が、第２極性期間Ｐ１１ｂの長さｔ１１ｂの合計よりも大きくなり、第１極性期間Ｐ１１ａにおいて陽極となる第１電極９２の突起５５２ｐの溶融量を向上できる。
【０１４１】
一方で、第１交流期間ＰＨ１１を構成する複数の第１単位駆動期間Ｕ１１ごとに、第１極性期間Ｐ１１ａよりも短い時間、反対極性となる第２極性期間Ｐ１１ｂが設けられているため、第２極性期間Ｐ１１ｂにおいて陽極となる第２電極９３の温度が低下することを抑制できる。これにより、第２電極９３の突起５６２ｐが変形することを抑制でき、フリッカーが生じることを抑制できる。第２交流期間ＰＨ２１においても、極性が反転する点を除いて同様である。また、第２波形期間ＣＢおよび第３波形期間ＣＣにおいても同様である。
【０１４２】
したがって、本実施形態によれば、加熱される側の電極における先端の突起の溶融量を向上させつつ、加熱されるのと逆側の電極における先端の突起の変形を抑制してフリッカーを抑制できるため、放電灯９０の寿命を向上できる放電灯駆動装置が得られる。
【０１４３】
また、本実施形態によれば、駆動電流波形ＤＷ１は、第１電極９２を加熱する第１極性期間の長さの合計が異なる３種類の波形期間、第１波形期間ＣＡ、第２波形期間ＣＢおよび第３波形期間ＣＣを有する。そのため、各波形期間によって第１電極９２に与える熱負荷が変動する。これにより、第１電極９２の突起５５２ｐの溶融度合いが変動し、突起５５２ｐを安定して成長させることができる。
【０１４４】
また、本実施形態によれば、第１波形期間ＣＡにおいて、所定値Ｘが３．０以上に設定されるため、すなわち、第２極性期間Ｐ１１ｂの長さｔ１１ｂに対する第１極性期間Ｐ１１ａの長さｔ１１ａの比（保持時間比）が３．０以上であるため、第２電極９３の温度が低下することを抑制しつつ、第１交流期間ＰＨ１１において第１電極９２の突起５５２ｐの溶融量を向上できる。したがって、第２電極９３の突起５６２ｐが変形してフリッカーが生じることを抑制できるとともに、第１電極９２の突起５５２ｐを溶融して成長させることができ、突起５５２ｐの形状を太く維持できる。
【０１４５】
また、本実施形態によれば、例えば、第２波形期間ＣＢにおいては、保持時間比が６．０以上に設定され、第３波形期間ＣＣにおいては、保持時間比が１０．０以上に設定される。そのため、第２波形期間ＣＢおよび第３波形期間ＣＣにおいて第１電極９２に与えられる熱負荷を、第１波形期間ＣＡに対して、好適に大きくできる。したがって、第１電極９２の溶融量を変動させることができ、第１電極９２を安定して成長させることができる。
【０１４６】
また、本実施形態によれば、第２波形期間ＣＢにおける第１交流期間ＰＨ１２の長さｔ１２および第３波形期間ＣＣにおける第１交流期間ＰＨ１３の長さｔ１３は、第１波形期間ＣＡの第１交流期間ＰＨ１１の長さｔ１１よりも大きく設定される。これにより、第２波形期間ＣＢおよび第３波形期間ＣＣにおいて第１電極９２に与えられる熱負荷を、第１波形期間ＣＡに対して、好適に大きくできる。
【０１４７】
また、本実施形態によれば、第２波形期間ＣＢにおける第１交流期間ＰＨ１２の長さｔ１２および第３波形期間ＣＣにおける第１交流期間ＰＨ１３の長さｔ１３は、２０ｍｓ（ミリ秒）以上に設定され、好ましくは２００ｍｓ（ミリ秒）に設定される。これにより、第２波形期間ＣＢおよび第３波形期間ＣＣにおいて第１電極９２に与えられる熱負荷を、第１波形期間ＣＡに対して、より好適に大きくできる。
【０１４８】
また、本実施形態によれば、第２波形期間ＣＢおよび第３波形期間ＣＣにおける保持時間比の最大値は、第１波形期間ＣＡにおける保持時間比の最大値よりも大きい。また、本実施形態によれば、第２波形期間ＣＢおよび第３波形期間ＣＣにおける保持時間比の最小値は、第１波形期間ＣＡにおける保持時間比の最小値よりも大きい。これにより、第２波形期間ＣＢおよび第３波形期間ＣＣにおいて第１電極９２に与えられる熱負荷を、第１波形期間ＣＡに対して、より好適に大きくできる。
【０１４９】
また、本実施形態によれば、第２波形期間ＣＢおよび第３波形期間ＣＣの第１単位駆動期間における第１極性期間の長さは、好ましくは２．５ｍｓ（ミリ秒）以上に設定される。これにより、第２波形期間ＣＢおよび第３波形期間ＣＣにおいて第１電極９２に与えられる熱負荷を、第１波形期間ＣＡに対して、より好適に大きくできる。
【０１５０】
なお、本実施形態においては、以下の構成および方法を採用することもできる。
【０１５１】
上記説明においては、制御サイクルＣ１において、各波形期間は第１極性期間の長さの合計が大きくなる順、すなわち、第１波形期間ＣＡ、第２波形期間ＣＢ、第３波形期間ＣＣの順に設けられていたが、これに限られない。本実施形態においては、各波形期間はどのような順に組み合わされていてもよい。
図８は、本実施形態の駆動電流波形の他の一例を示す図である。図８において、縦軸は駆動電流Ｉを示しており、横軸は時間Ｔを示している。
【０１５２】
図８に示すように、駆動電流波形ＤＷ２においては、複数の制御サイクルＣ２が連続して構成される。制御サイクルＣ２においては、第３波形期間ＣＣと、第１波形期間ＣＡと、第２波形期間ＣＢと、がこの順で設けられている。
【０１５３】
また、上記説明においては、駆動電流波形ＤＷ１は、波形期間として異なる３種類の波形Ａ，Ｂ，Ｃを有する３つの波形期間を有する構成としたが、これに限られない。本実形態においては、波形期間は、２種類であってもよいし、４種類以上であってもよい。波形期間の種類は、多いほど好ましい。電極に与える熱負荷をより変動させることができるためである。
【０１５４】
また、第１波形期間ＣＡ、第２波形期間ＣＢ、第３波形期間ＣＣは、この順で、各交流期間における第１極性期間の長さの合計と第２極性期間の長さの合計とのうち大きい方の長さの合計が大きくなる範囲内において、各期間の長さや保持時間比等のパラメーターがどのように設定されていてもよい。
【０１５５】
例えば、上記説明においては、第２波形期間ＣＢの保持時間比の最大値および最小値は、第１波形期間ＣＡの保持時間比の最大値および最小値に対して、それぞれ大きい構成としたが、これに限られない。本実施形態においては、第２波形期間ＣＢの保持時間比の最大値と最小値とのうち、いずれか一方のみが、第１波形期間ＣＡに対して大きい構成としてもよい。第２波形期間ＣＢと第３波形期間ＣＣとの間においても同様である。
【０１５６】
また、例えば、本実施形態においては、第２波形期間ＣＢの第１交流期間ＰＨ１２の長さｔ１２は、第１波形期間ＣＡの第１交流期間ＰＨ１１の長さｔ１１以下であってもよいし、第３波形期間ＣＣの第１交流期間ＰＨ１３の長さｔ１３は、第２波形期間ＣＢの第１交流期間ＰＨ１２の長さｔ１２以下であってもよい。
【０１５７】
また、例えば、第２波形期間ＣＢの保持時間比の範囲が、第１波形期間ＣＡの保持時間比の範囲以下であってもよいし、第３波形期間ＣＣの保持時間比の範囲が、第２波形期間ＣＢの保持時間比の範囲以下であってもよい。
【０１５８】
また、例えば、第２波形期間ＣＢにおける第１極性期間Ｐ１２ａの長さｔ１２ａが、第１波形期間ＣＡにおける第１極性期間Ｐ１１ａの長さｔ１１ａ以下であってもよいし、第３波形期間ＣＣにおける第１極性期間Ｐ１３ａの長さｔ１３ａが、第２波形期間ＣＢにおける第１極性期間Ｐ１２ａの長さｔ１２ａ以下であってもよい。
【０１５９】
また、上記説明においては、各波形期間は１つの制御サイクルＣ１に、それぞれ１つずつ設けられる構成としたが、これに限られない。本実施形態においては、例えば、第１波形期間ＣＡが複数設けられた後に、第２波形期間ＣＢが複数設けられ、さらにその後に、第３波形期間ＣＣが複数設けられる構成としてもよい。この場合において、それぞれ複数ずつ設けられる各波形期間の数は、互いに同じであってもよいし、異なっていてもよい。
【０１６０】
また、本実施形態においては、各波形期間における保持時間比は、１．０より大きく、３．０より小さくてもよい。
【０１６１】
また、上記説明において、図７に示した駆動電流波形ＤＷ１の例では、各波形期間の交流期間における複数の単位駆動期間は、それぞれ保持時間比が異なる構成としたが、これに限られない。本実施形態においては、交流期間に含まれる複数の単位駆動期間の保持時間比は互いに同じであってもよい。
【０１６２】
また、上記説明において、図７に示した駆動電流波形ＤＷ１の例では、各波形期間の交流期間における複数の単位駆動期間の保持時間比は、時間の経過とともに小さくなる構成としたが、これに限られない。本実施形態においては、交流期間に含まれる複数の単位駆動期間の保持時間比は、時間の経過とともに大きくなる構成であってもよいし、ランダムに変化する構成であってもよい。
【０１６３】
また、上記説明において、図７に示した駆動電流波形ＤＷ１の例では、各交流期間に含まれる単位駆動期間の数は互いに同じ構成としたが、これに限られない。本実施形態においては、各交流期間に含まれる単位駆動期間の数は、互いに異なっていてもよい。
【０１６４】
また、上記説明においては、各波形期間において、第１交流期間と第２交流期間とは、極性が反転していることを除いて同一の波形を有するものとしたが、これに限られない。本実施形態においては、各波形期間において、第１交流期間と第２交流期間との波形は同一でなくてもよい。
【０１６５】
また、本実施形態においては、駆動電力Ｗｄや、ランプ電圧Ｖｌａの変化に応じて、駆動電流波形ＤＷ１を変化させてもよい。以下、詳細に説明する。
【０１６６】
表５は、ランプ電圧Ｖｌａの変化に応じて、保持時間比補正係数αを変化させた場合の一例を示す表である。
【０１６７】
【表５】
0006447235.tif 000006
【０１６８】
保持時間比補正係数αは、保持時間比に乗じられる係数である。例えば、上記示した表１から表３の保持時間比に、ランプ電圧Ｖｌａに応じた保持時間比補正係数αを乗じることで、各波形の保持時間比を変化させ、各波形期間における第１極性期間の長さの合計を変化させる。
【０１６９】
表５に示すように、この構成においては、保持時間比補正係数αは、放電灯９０の第１電極９２と第２電極９３との間に印加されるランプ電圧Ｖｌａが大きいほど、大きく設定される。これにより、ランプ電圧Ｖｌａが大きいほど、各波形期間における第１極性期間の長さの合計を大きくできる。表５の例では、例えば、ランプ電圧Ｖｌａが６０Ｖ〜７９Ｖのときを基準としている。
【０１７０】
放電灯９０が経年等によって劣化すると、第１電極９２と第２電極９３との間の距離が大きくなり、ランプ電圧Ｖｌａが大きくなる。定電力駆動においては、ランプ電圧Ｖｌａが大きくなると、駆動電流Ｉが小さくなるため、第１電極９２および第２電極９３に加えられる熱負荷が低下し、第１電極９２および第２電極９３の突起５５２ｐ，５６２ｐが溶融しにくくなる。そのため、第１電極９２および第２電極９３の突起５５２ｐ，５６２ｐを十分に溶融できず、突起５５２ｐ，５６２ｐの太さを維持できない場合があった。
【０１７１】
これに対して、この構成によれば、放電灯９０に印加されるランプ電圧Ｖｌａが大きいほど、保持時間比補正係数αが、大きく設定される。そのため、第１電極９２が溶融しにくくなるほど、第１電極９２が加熱される時間を大きくでき、第１電極９２が溶融されないことを抑制できる。
【０１７２】
なお、上記例においては、ランプ電圧Ｖｌａの変化に応じて、保持時間比補正係数αを変化させる方法、すなわち、保持時間比を変化させる方法を示したが、これに限られない。この構成においては、ランプ電圧Ｖｌａが大きくなるにしたがって、各波形期間における第１極性期間の長さの合計を大きくできればよい。各波形期間における第１極性期間の長さの合計を大きくする他の方法としては、例えば、各波形期間における交流期間の長さを大きくする方法を選択できる。
【０１７３】
また、例えば、駆動電流波形ＤＷ１における、各波形期間のうち電極に与える熱負荷が大きい波形期間の構成比率を大きくする方法を選択してもよい。すなわち、この構成においては、駆動電流波形ＤＷ１において、第１波形期間ＣＡの長さの合計に対する第２波形期間ＣＢの長さの合計の割合は、ランプ電圧Ｖｌａが大きいほど、大きく設定される構成としてもよい。
【０１７４】
表６は、駆動電力Ｗｄの変化に応じて、各波形の構成比率を変化させた場合の一例を示す表である。
【０１７５】
【表６】
0006447235.tif 000007
【０１７６】
表６に示すように、この構成においては、放電灯９０に供給される駆動電力Ｗｄが小さいほど、駆動電流波形ＤＷ１における、電極に与える熱負荷が大きい波形期間を構成する波形の構成比率、すなわち、表６の例では第３波形期間ＣＣを構成する波形Ｃの構成比率が、大きく設定される。言い換えると、駆動電流波形ＤＷ１において、第１波形期間ＣＡの長さの合計および第２波形期間ＣＢの長さの合計に対する、第３波形期間ＣＣの長さの合計の割合は、駆動電力Ｗｄが小さいほど、大きく設定される。
【０１７７】
放電灯９０に供給される駆動電力Ｗｄが小さくなると、放電灯９０に供給される駆動電流Ｉが小さくなるため、第１電極９２および第２電極９３に加えられる熱負荷が低下し、第１電極９２および第２電極９３の突起５５２ｐ，５６２ｐは、溶融されにくくなる。そのため、突起５５２ｐ，５６２ｐが変形し、フリッカーが生じる場合があった。
【０１７８】
これに対して、この構成によれば、例えば、駆動電流波形ＤＷ１における、電極に与える熱負荷が大きい波形Ｃの構成割合が、放電灯９０に供給される駆動電力Ｗｄが小さいほど、大きくなるように設定される。そのため、第１電極９２が加熱される時間を大きくでき、第１電極９２の突起５５２ｐの溶融量を向上できる。これにより、この構成によれば、駆動電力Ｗｄが小さくなった場合に、第１電極９２の突起５５２ｐの形状を維持しやすく、フリッカーの発生を抑制できる。
【０１７９】
なお、上記例においては、駆動電力Ｗｄの変化に応じて、各波形も構成割合を変化させる方法を示したが、これに限られない。この構成においては、駆動電力Ｗｄが小さくなるのにしたがって、各波形期間における第１極性期間の長さの合計を大きくできればよい。各波形期間における第１極性期間の長さの合計を大きくする他の方法としては、例えば、各波形期間における交流期間の長さを大きくする方法や、保持時間比を大きくする方法を選択できる。
【０１８０】
＜第２実施形態＞
第２実施形態は、第１実施形態に対して、第１波形期間と第２波形期間との保持時間比の範囲が同じである点において異なる。
なお、上記実施形態と同様の構成については、適宜同一の符号を付す等により、説明を省略する場合がある。
【０１８１】
図９は、本実施形態の駆動電流波形ＤＷ３を示す図である。図９において、縦軸は駆動電流Ｉを示しており、横軸は時間Ｔを示している。
駆動電流波形ＤＷ３は、図９に示すように、複数の制御サイクルＣ３が連続して構成される。制御サイクルＣ３は、第１波形期間ＣＡと、第２波形期間ＣＡ２と、を含む。
【０１８２】
第２波形期間ＣＡ２は、第１交流期間ＰＨ１４と、第２交流期間ＰＨ２４と、を含む。第１交流期間ＰＨ１４と第２交流期間ＰＨ２４とは、駆動電流Ｉとして、電流値Ｉｍ１と電流値−Ｉｍ１との間で極性が反転される交流電流が放電灯９０に供給される期間である。
【０１８３】
第１交流期間ＰＨ１４は、第１電極９２が加熱される期間である。第１交流期間ＰＨ１４は、第１電極９２が陽極となる第１極性期間Ｐ１４ａと第２電極９３が陽極となる第２極性期間Ｐ１４ｂとからなる第１単位駆動期間Ｕ１４が複数連続して構成されている。
【０１８４】
第２交流期間ＰＨ２４は、第２電極９３が加熱される期間である。第２交流期間ＰＨ２４は、第１電極９２が陽極となる第１極性期間Ｐ２４ａと第２電極９３が陽極となる第２極性期間Ｐ２４ｂとからなる第２単位駆動期間Ｕ２４が複数連続して構成されている。
第２波形期間ＣＡ２の各交流期間を構成する単位駆動期間の数は、第１波形期間ＣＡの各交流期間を構成する単位駆動期間の数より大きい。
【０１８５】
本実施形態の第２波形期間ＣＡ２においては、例えば、第１交流期間ＰＨ１４の波形と第２交流期間ＰＨ２４の波形とは、極性が反転している点を除いて同一となるように設定されている。すなわち、各第１単位駆動期間Ｕ１４における第１極性期間Ｐ１４ａの長さｔ１４ａは、各第２単位駆動期間Ｕ２４における第２極性期間Ｐ２４ｂの長さｔ２４ｂとそれぞれ等しい。各第１単位駆動期間Ｕ１４における第２極性期間Ｐ１４ｂの長さｔ１４ｂは、各第２単位駆動期間Ｕ２４における第１極性期間Ｐ２４ａの長さｔ２４ａとそれぞれ等しい。
【０１８６】
第２波形期間ＣＡ２の第１交流期間ＰＨ１４は、第１波形期間ＣＡの第１交流期間ＰＨ１１を構成する波形Ａと同様の保持時間比の範囲を有する波形で構成されている。すなわち、第２波形期間ＣＡ２の第１交流期間ＰＨ１４を構成する第１単位駆動期間Ｕ１４は、第１波形期間ＣＡの第１交流期間ＰＨ１１を構成する第１単位駆動期間Ｕ１１と同様に設定される。言い換えれば、第２波形期間ＣＡ２は、第１波形期間ＣＡに含まれる第１単位駆動期間Ｕ１１の数を多くした期間に相当する。第２交流期間ＰＨ２４についても同様である。第１単位駆動期間Ｕ１４の第１極性期間Ｐ１４ａの長さｔ１４ａおよび保持時間比は、一例として第１実施形態において示した上記表１のように設定できる。
【０１８７】
第２波形期間ＣＡ２の第１交流期間ＰＨ１４の長さｔ１４は、第１波形期間ＣＡの第１交流期間ＰＨ１１の長さｔ１１よりも大きい。そのため、第２波形期間ＣＡ２における第１極性期間Ｐ１４ａの長さｔ１４ａの合計は、第１波形期間ＣＡにおける第１極性期間Ｐ１１ａの長さｔ１１ａの合計よりも大きい。したがって、第２波形期間ＣＡ２において第１電極９２および第２電極９３に与える熱負荷を、第１波形期間ＣＡよりも大きくできる。
【０１８８】
本実施形態によれば、第１波形期間ＣＡと、第１波形期間ＣＡよりも電極に与える熱負荷が大きい第２波形期間ＣＡ２とを、保持時間比の範囲が同様の波形を用いて構成できるため、簡便である。
【０１８９】
なお、本実施形態においては、各波形期間において、第１交流期間と第２交流期間との波形は同一でなくてもよい。
【０１９０】
＜第３実施形態＞
第３実施形態は、第１実施形態に対して、第２波形期間が１つの交流期間で構成されている点において異なる。
なお、上記実施形態と同様の構成については、適宜同一の符号を付す等により、説明を省略する場合がある。
【０１９１】
図１０は、本実施形態の駆動電流波形ＤＷ４を示す図である。図１０において、縦軸は駆動電流Ｉを示しており、横軸は時間Ｔを示している。
駆動電流波形ＤＷ４は、図１０に示すように、複数の制御サイクルＣ４が連続して構成される。制御サイクルＣ４は、第１波形期間ＣＡと、第２波形期間ＣＣ１と、を含む。第２波形期間ＣＣ１は、第１交流波形期間ＣＣ２と、第２交流波形期間ＣＣ３と、を有する。
【０１９２】
第１交流波形期間ＣＣ２は、１つの交流期間、すなわち、第１実施形態において説明した第１交流期間ＰＨ１３のみからなる。
第２交流波形期間ＣＣ３は、１つの交流期間、すなわち、第１実施形態において説明した第２交流期間ＰＨ２３のみからなる。
【０１９３】
制御サイクルＣ４において、第１波形期間ＣＡと、第１交流波形期間ＣＣ２と、第１波形期間ＣＡと、第２交流波形期間ＣＣ３と、はこの順で設けられる。すなわち、第１交流波形期間ＣＣ２と第２交流波形期間ＣＣ３との間には、第１波形期間ＣＡが設けられる。本実施形態において第１交流波形期間ＣＣ２と第２交流波形期間ＣＣ３とは、第１波形期間ＣＡを挟んで交互に繰り返される。
【０１９４】
本実施形態によれば、２つの第１波形期間ＣＡの間に、第１波形期間ＣＡの交流期間よりも電極に与える熱負荷が大きい１つの交流期間を挿入し、その交流期間の極性を交互に反転させる構成である。これにより、第１電極９２および第２電極９３の特性に応じて、第１電極９２および第２電極９３に与える熱負荷の変動を調整しやすく、突起５５２ｐ，５６２ｐの成長を調整しやすい。
【０１９５】
なお、本実施形態においては、以下の構成および方法を採用することもできる。
【０１９６】
上記説明においては、１つの第１波形期間ＣＡが設けられるごとに、第１交流波形期間ＣＣ２および第２交流波形期間ＣＣ３のいずれかを挟む構成としたが、これに限られない。本実施形態においては、第１波形期間ＣＡが複数設けられた後に、第１交流波形期間ＣＣ２および第２交流波形期間ＣＣ３のいずれかを挟むような構成としてもよい。
【０１９７】
また、上記説明においては、第１交流波形期間ＣＣ２と第２交流波形期間ＣＣ３とは、第１波形期間ＣＡを挟んで交互に設けられる構成としたが、これに限られない。本実施形態においては、例えば、第１波形期間ＣＡと第１交流波形期間ＣＣ２とが交互に複数設けられた後に、第１波形期間ＣＡと第２交流波形期間ＣＣ３とが交互に複数設けられるような構成としてもよい。
【０１９８】
また、本実施形態においては、第１波形期間が１つの交流期間のみからなる交流波形期間を有する構成であってもよいし、第１波形期間および第２波形期間が１つの交流期間のみからなる交流波形期間を有する構成であってもよい。
【０１９９】
なお、本実施形態において示したように、本明細書において、第２波形期間が第１交流期間と第２交流期間とを含む、とは、時間的に連続する１つの第２波形期間の少なくとも１つが第１交流期間を含み、かつ、時間的に連続する１つの第２波形期間の少なくとも１つが第２交流期間を含んでいればよい。第１交流期間を含む１つの第２波形期間と第２交流期間を含む１つの第２波形期間とは、同じであってもよいし、異なっていてもよい。例えば、図１０の例では、第１交流期間を含む１つの第２波形期間は、第１交流波形期間ＣＣ２であり、第２交流期間を含む１つの第２波形期間は、第２交流波形期間ＣＣ３である。これは、第１波形期間についても同様である。
【０２００】
なお、上記第１実施形態から第３実施形態において述べた各期間の構成は、相互に組み合わせ可能であり、その組み合わせの順番や、繰り返し回数等は、特に限定されない。
【０２０１】
また、上述の実施形態において、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばマイクロミラーを用いた光変調装置であってもよい。
【０２０２】
また、上述の実施形態において、３つの液晶パネル５６０Ｒ，５６０Ｇ，５６０Ｂ（液晶ライトバルブ３３０Ｒ，３３０Ｇ，３３０Ｂ）を用いたプロジェクター５００の例を挙げたが、本発明は、１つの液晶パネルのみを用いたプロジェクター、４つ以上の液晶パネルを用いたプロジェクターにも適用可能である。
【符号の説明】
【０２０３】
４０…制御部、９０…放電灯、９２…第１電極、９３…第２電極、２００…光源装置、２３０…放電灯駆動部、３５０…投射光学系、５００…プロジェクター、１０…放電灯点灯装置（放電灯駆動装置）、６０…動作検出部（電圧検出部）、ＣＡ…第１波形期間、ＣＡ２，ＣＣ１…第２波形期間、ＣＢ…第２波形期間（第１波形期間）、ＣＣ…第３波形期間（第２波形期間）、ＣＣ２…第１交流波形期間、ＣＣ３…第２交流波形期間、Ｉ…駆動電流、Ｐ１１ａ，Ｐ１２ａ，Ｐ１３ａ，Ｐ１４ａ，Ｐ２１ａ，Ｐ２２ａ，Ｐ２３ａ，Ｐ２４ａ…第１極性期間、Ｐ１１ｂ，Ｐ１２ｂ，Ｐ１３ｂ，Ｐ１４ｂ，Ｐ２１ｂ，Ｐ２２ｂ，Ｐ２３ｂ，Ｐ２４ｂ…第２極性期間、ＰＨ１１，ＰＨ１２，ＰＨ１３，ＰＨ１４…第１交流期間、ＰＨ２１，ＰＨ２２，ＰＨ２３，ＰＨ２４…第２交流期間、Ｕ１１，Ｕ１２，Ｕ１３，Ｕ１４…第１単位駆動期間、Ｕ２１，Ｕ２２，Ｕ２３，Ｕ２４…第２単位駆動期間、Ｖｌａ…ランプ電圧（電極間電圧）、Ｗｄ…駆動電力
【図１】
0006447235.tif 000008
【図２】
0006447235.tif 000009
【図３】
0006447235.tif 000010
【図４】
0006447235.tif 000011
【図５】
0006447235.tif 000012
【図６】
0006447235.tif 000013
【図７】
0006447235.tif 000014
【図８】
0006447235.tif 000015
【図９】
0006447235.tif 000016
【図１０】
0006447235.tif 000017